【事件の表示】
　上記当事者間の特許第２１３８６０２号発明「記録再生装置の防振装置」の特許無効審判事件について、次のとおり審決する。
【結　論】
　訂正を認める。
　本件審判の請求は、成り立たない。
　審判費用は、請求人の負担とする。
【理　由】
１．手続の経緯　
　（１）本件特許第２１３８６０２号に係る発明についての出願は、平成２年１０月２２日に出願され、平成７年１２月２５日に特公平７−１２２９８３号として出願公告がなされ、平成８年３月２２日及び平成８年３月２５日に特許異議の申し立てがなされ、平成１０年１０月９日にその発明について特許の設定登録がなされた。
　（２）　その特許に対し、平成１２年５月１６日に請求人東海ゴム工業株式会社（以下、「請求人」という。）から無効審判の請求がなされ、被請求人から答弁書が提出され、さらに、請求人から上申書が提出された。なお、この特許に対し、平成１１年１０月２０日に請求人北辰工業株式会社から無効審判の請求がなされている。（平成１１年−審判第３５５７６号）
　（３）　その後、両審判事件は平成１２年１２月１２日に併合され、平成１２年１２月１３日付けで当審から無効理由の通知がなされ、被請求人から所定期間内である平成１３年２月２６日に意見書と共に訂正請求書が提出され、訂正を求めた。
　（４）請求により、平成１３年５月１１日に口頭審理が行われ、それぞれ提出された陳述要領書を含めて陳述すると共に、該口頭審理に関して平成１３年６月１１日に被請求人から、平成１３年７月１１日に請求人から上申書が提出された。
　（５）平成１３年９月５日付けで両審判事件を分離した。
　
２．訂正の可否に対する判断
２．−（１）被請求人の求めた訂正は、以下のとおりである。
ａ．特許請求の範囲の請求項１を以下のとおり訂正する。
　請求項１記載中の要件ｃ．「・・・端部に型成形により・・・」を「ｃ．前記筒状部の前記筐体内方側の端部
のみ
射出
ｂ．発明の詳細な説明の［課題を解決するための手段］を以下のように訂正する。
　「ｃ．前記筒状部の前記筐体内方側の端部
のみ
射出
　
２．−（２）訂正の目的の適否・新規事項の有無及び拡張・変更の存否
　訂正事項ａ．について
　この訂正事項は、請求項１に係る「第１密封部材」の位置と成形手段を限定したものと認められる。
　すなわち、訂正前は、「第１密封部材」の位置は「前記筐体内方側の端部」とされていたので、少なくとも「端部」と解釈できるが、この訂正により「端部」だけに限定される。また、「成形」も「型」により行っていたものをより具体的に「射出」により行うものに限定したものであるから、これらの訂正はいずれも特許請求の範囲の減縮を目的としたものと言える。
　また、これらの訂正については、特許公報の第５欄４行〜７行に「筒状部１１の端部内周面には、環状段部１３が形成される。この環状段部１３には、軟質の熱可塑性弾性体からなる第１の密封部材が射出成形により一体に熱融着されている。」と記載されており、更に、第６欄９行〜１１行には、「この製造方法は、射出成形法であるが、筒状部１１に第１密封部材を熱融着する方法は、他の公知の手段でも良い。例えば、射出成形、ブロー成形・・・」と記載されている。よって上記訂正は、願書に最初に添付した特許明細書の範囲内においてしたものと認められる。
　そして、上記訂正は、特許明細書の範囲内において、明確に限定されたものであるから実質上特許請求の範囲の請求項１を拡張し、又は変更するものでもない。また、請求項１を引用する請求項２乃至４項においても同様である。
　訂正事項ｂ．について
　この訂正は、訂正事項ａ．の訂正すなわち、特許請求の範囲の訂正に対応して発明の詳細な説明の記載の整合を取るためにおこなったものであるから、明瞭でない記載の釈明を目的としたものと言え、かつ、この訂正により実質上特許請求の範囲１乃至４を拡張し、又は変更するものでもない。
　なお、請求人は、「筒体内方側端部のみ」と限定できる理由がないと主張している（口頭審理陳述要領書第２頁７−Ａ参照）が、先に記したように、限定する理由は明確と認められる。
２．−（３）独立特許要件の判断
　請求項２乃至４に係る特許発明（下記３．参照）は、無効審判の請求がなされていないが、請求項１を引用して記載されているために、請求項１の訂正に伴い実質的に訂正されているので、独立特許要件の検討を行う。
　請求項２乃至４に記載された事項には不備な点は認められず、かつ、各発明で引用する請求項１に係る発明が、下記６．に記載したように特許法第３６条の規定を満たしている以上、請求項２乃至４に記載された発明は、同法第３６条の規定を満たしていることは明かである。
　また、請求項２乃至４に係る発明が引用している請求項１に係る発明は、下記６．，７．に記載のように特許法第２９条の２，同法第２９条第２項の規定に該当しないから、請求項１に係る発明よりも減縮されている請求項２乃至４に係る発明も当然に同法第２９条の２及び同法第２９条２項の規定に該当しないことは明かである。
　したがって、請求項１に係る発明をそのまま包含する請求項２乃至４に係る発明は、当然、特許出願の際独立して特許を受けることができるものである。
２．−（４）むすび
　したがって、平成１３年２月２６日付けの訂正請求は、特許法第１３４条第２項及び同条第５項で準用する同法第１２６条第２項乃至４項の規定に適合するので、当該訂正を認める。
　
３．本件特許発明
　　本件特許第２１３８６０２号の請求項１に係る発明（以下、「本件発明１」という。）及び請求項２乃至４乃至に係る発明は、平成１３年２月２６日付け訂正請求書により訂正された特許明細書及び図面の記載からみて、その特許請求の範囲の請求項１乃至４に記載された次のとおりのものと認める。
「【請求項１】
Ａ．内部に空間を区画する筐体と、この筐体の一部に設けられ、記録再生装置を支持するための弾性支持具と、前記筐体の一部に設けられ、前記記録再生装置を支持し、かつその振動を減衰するための減衰手段とを備えた防振装置であって、
Ｂ．前記減衰手段は、
ａ．前記筐体にその内方を向くように設けられた、熱可塑性樹脂のエンジニアリングプラスチックからなる複数の中空の筒状部と、
ｂ．この筒状部内に収容された減衰材と、
ｃ．前記筒状部の前記筐体内方側の端部のみに射出成形により一体に熱融着された軟質の熱可塑性弾性体からなり、略中央部に前記記録再生装置に設けた突起を受け入れるための凹部が設けられた第１密封部材と、
ｄ．前記筒状部の他端部に固着された第２密封部材とを有する記録再生装置の防振装置。
【請求項２】請求項１において、前記減衰手段は、前記筐体に着脱自在に取付けられ、かつ熱可塑性樹脂のエンジニアリングプラスチックからなるブラケットを有し、このブラケットに前記筒状部が形成されていることを特徴とする記録再生装置の防振装置。
　
【請求項３】請求項１において、前記筐体と前記筒状部とが、一体に型成形された熱可塑性樹脂のエンジニアリングプラスチックからなることを特徴とする記録再生装置の防振装置。
　
【請求項４】請求項１ないし３のいずれか１において、前記第２密封部材は熱可塑性樹脂のエンジニアリングプラスチックからなり、略中央部に熱融着可能な前記減衰材の注入口が形成されていることを特徴とする記録再生装置の防振装置。」
（なお、請求項１の「Ａ」，「Ｂ」は便宜上付与した符号である。）
　
４．請求の趣旨
　請求人は、本件特許第２１３８６０２号の請求項１に係る発明の特許を無効とする、審判費用は被請求人の負担とする旨の無効審判を請求し、証拠方法として後記の書証を提示し、以下の理由により無効にされるべきであると主張している。
　
（１）無効理由１
　本件特許発明（請求項１に係る発明）は、特許請求の範囲に記載の発明の要部である事項と実施例に記載の事項との対応に矛盾があり、発明の構成が不明である。
　したがって、本件特許発明の明細書の記載は、特許法第３６条に違反するものである。
（２）無効理由２
　本件特許発明（請求項１に係る発明）は、平成２年５月３１日付け出願の特願平２−１４２３３７号（特開平３−２２３５３９号公報）の先願が存在し、該先願発明と本件特許発明との相違点は先願の出願当時の本件特許発明の要部である減衰手段の普通の使用形態を特定したにすぎないものであるから、特許法第２９条の２によって拒絶されるべきものである。
　
５．証拠方法及び参考資料
５．−（１）請求人の提示した証拠方法
　甲第１号証：特開平３−２２３５３９号公報（特願平２−１４２３３７号、平成２年５月３１日出願、平成３年１０月２日公開）
　甲第２号証：特開昭６１−１８９３３６号公報（昭和６１年８月２３日公開）
　甲第３号証：実開昭６０−１６３５９２号公報
　甲第４号証：実開昭６１−　６８３９３号公報
　甲第５号証：実開昭６３−１１４４９２号公報
　甲第６号証：実開昭６３−１６４８９１号公報
　甲第７号証：特開昭６１−２１５８２２号公報
　甲第８号証：実開平　２−　９６０５６号公報及び実願平１−４９７０号のマイクロフィルム
　甲第９号証：実開平２−１１４２３８号公報及び実願平１−２３４０７号のマイクロフィルム
　甲第１０号証：東海ゴム工業株式会社の昭和６０年６月２７日付定款
　甲第１１号証：ソニー向けＣＤオートチェンジャー用ダンパーの開発ＮＯ’８９−６５　１９８９年１０月２３日作成（１９８９年１２月２９日付優先権出願（実願平１−１５２１９６）日前に試作・量産へ向けての検討を行っていた資料）
　甲第１２号証：ソニー向けＣＤオートチェンジャー用ダンパーの開発ＮＯ’８９−６６　１９８９年１０月２３日作成（１９８９年１２月２９日付優先権出願（実願平１−１５２１９６）日前に試作・量産へ向けての検討を行っていた資料）
　　
５．−（２）被請求人の提示した証拠方法
　乙１号証：桜内雄二郎著、新版「プラスチック材料読本」、株式会社工業調査会発行、１９８７年５月１５日発行の第１０頁乃至第１２頁等
　乙２号証：白石雅夫著「機能材料」１９９９．１０月号Ｖｏｌ．１９，Ｎｏ．１０　株式会社シーエムシー発行第１８頁乃至第２３頁　
　乙３号証：大阪市立工業研究所、プラスチック読本編集委員会、プラスチック技術協会共編、改訂第８版「プラスチック読本」１９７１年５月１０日発行の第２２７頁乃至同第１９７頁等
　乙４号証：永井進監修「プラスチック用語辞典」、株式会社工業調査会、１９８２年８月２５日発行、第４６９頁
  なお、被請求人は当事者尋問を申請したが、尋問事項が「本件発明１」の実用化の困難性に関するものであるため前記尋問は行わないこととなった。そのため、提出された検証物乙１，乙２号証および乙５号証の１ないし６０、乙６号証については検討しない。
　
６．請求人の無効理由についての当審の判断
６．−（１）特許法第３６条違反について
　請求人は、請求項１に係る発明は、以下の点で不備であり、特許法第３６条に違反していると主張している。
　イ．　「前記減衰手段」は、「ａ．前記筐体にその内方を向くように設けられた、熱可塑性樹脂のエンジニアリングプラスチックからなる複数の中空の筒状部」と記載されているが、本件特許明細書における「減衰手段」は、「側板４の下端に減衰手段６が複数（実施例では各側板４に対して２つ）設けられている。減衰手段６は再生装置１の側部に設けた突起７を介して、再生装置１を支持するとともに、再生装置１からの振動が伝達される。第２図は減衰手段６の詳細を示す図である。減衰手段６は、ブラケット８を有している。・・・・ブラケット１０には、中空の筒状部１１が形成され、その内部に減衰材１２が封入されている。」（特許公報第４欄４１行〜第５欄２行）と記載されており、実施例の「減衰手段」には「複数の中空の筒状部」を有しておらず、「１個の中空の筒状部」のみであるから、特許請求の範囲に記載の発明の要部である事項と実施例に記載の事項の対応に矛盾があり、本件特許発明の要部の構成が不明である。
　検討するに、請求項１においては「減衰手段」は振動を減衰するための手段全体を総称しているのに対し、発明の詳細な説明における「減衰手段６」は、筒状部からなる個々の部材を呼称しているものと認められる。しかしながら、請求の範囲の記載では「減衰手段」の構成は、「筐体にその内方を向くよう」に「複数の中空の筒状部」が設けられ、各筒状部が更にｂ，ｃ，ｄの構成を備えているのであるから、表現手法が異なるものの「各筒状部」の構成と実施例の「減衰手段６」の構成が一致することは明かであり、請求項１に係る記載と実施例の記載に矛盾はないから、請求の範囲の記載が不備とは言えない。
　ロ．　請求項１に係る構成Ｂｂ．では「筒状部内に収容された減衰材」と表現されているが、「減衰材」は流体であり、筒状部内のみに収容されるものではない。実施例においても第１密封部材１４と第２密封部材１６と筒状部１１で形成した空間内に減衰材１２を収容しており、特に第１密封部材１４は端部から突出しており、筒状部１１の内側の位置に存在しないから、特許請求の範囲に記載の事項と実施例との対応に矛盾があり、本件特許発明の要部となるべく発明の構成が不明である。
　しかしながら、本件発明は、装置の発明であって組立方法の発明ではないから、記載の順序が逆になっていても配置関係が明らかになれば不備とは言えない。本件発明は請求の範囲で表現された結果として、筒状部とその両端に設けられる第１・第２の密封部材で閉じた空間を形成し、該空間に減衰材が収納される構成が明かであり、発明の構成が不明であるとは言えない。
　また、第１密封部材が端部より突出している点は、実施例における具体的構成の特徴にすぎず、請求の範囲の記載が上記のように不明と言えない以上、実施例の具体的構成と請求の範囲に記載された構成が不一致であるから不備であるとすることはできない。
　ハ．　前記請求項１に係る構成Ｂｃ．では、「端部に型形成により一体に熱融着」と記載されており、更に、前記「端部」について、特許異議答弁書（加藤妙子）第４頁下９及び７行で「本願発明の構成要件（Ｄ）の部分の「前記筒状部の前記筐体内方側の端部に型成形により一体」の「端部」は「端部のみ」を意味し、・・・」と記載しているが、本件特許発明の構成要件（Ｂｄ）の前記「端部」が「端部のみ」と限定される旨本件特許発明の明細書の何れをみても記載がない。
　しかしながら、この点については、平成１３年２月２６日付けで訂正された訂正明細書により「端部のみ」と明確になったので、請求人の主張は根拠がない。
　
６．−（２）特許法第２９条の２違反について
ａ．証拠に記載の発明
　請求人の提示した証拠には、以下の発明が記載されているものと認める。
(i)甲第１号証（特開平３−２２３５３９号公報参照）     
　甲第１号証には、粘性流体封入ダンパーについての発明が記載されており、車両等にＣＤプレーヤーを搭載する場合、車両の振動がそのままＣＤプレーヤーに伝達されるのを防止するために用いられるものである点が記載されている（１頁右欄３行〜８行）。
　このような粘性流体封入ダンパーを用いた車両に用いるＣＤプレーヤーの支持構造の一例が、第２図に記載されており、「第２図は、・・・この支持フレーム１０によりメカデッキ１２がスプリング１４と粘性流体封入ダンパー１６とにより支持されている。」と記載されている（２頁左下欄下から２行〜右下欄３行）。
　また、粘性流体封入ダンパーの一例が第５図に記載されている。そして、「この例のダンパー５３は、容器本体５４が軟質樹脂（又はゴム）製の第一部材と硬質樹脂製の第二部材とで構成され、それらが一体に固着されている（樹脂製の第一部材と第二部材とは２色成形により同時成形することが可能である）。第一部材には、支持部材から延び出す軸体を嵌入させるための穴部５６を備えた攪拌軸部５８と、可撓部６０と、容器本体の周壁部の一部（外周壁部６２）が形成され、また第二部材には、周壁部の一部（外周壁部６４）と厚肉のフランジ６６とが形成されている。この硬質樹脂製の第二部材には、図中上面側に嵌合凹所６８が形成され、そこに同じく硬質樹脂製の蓋体７０が嵌め込まれた上、固着されるようになっている。尚、容器本体５４と蓋体７０との固着は、樹脂同士の溶着によって行うことができる。」と記載されている（３頁左下欄２行〜１７行）。
　なお、２色成形が、型内に材料を圧力をかけて射出する成形方法であることは、周知のことと認められる。
　これらの記載事項によれば、甲第１号証には「支持フレーム１０上にＣＤプレーヤーの板状のメカデッキ１２が、上下方向に可動なスプリング１４と粘性流体封入ダンパー１６とにより支持される防振装置において、前記粘性流体封入ダンパーの筒状をなす容器本体は軟質樹脂製の第一部材と硬質樹脂製の第二部材とで構成され、
　第一部材には略中央部に支持部材又は被支持部材から延び出す軸体を嵌入させるための穴部５６を備えた攪拌軸部５８と、容器本体の内周壁部６２と、前記中央部の攪拌軸部５８と、前記内周壁部６２を連結する可撓部６０が形成され、また前記第二部材には、容器本体の外周壁部６４と厚肉のフランジ６６とが形成され、前記第一部材と第二部材は、前記内周壁部６２の外周面と前記外周壁部６４の内周部全面において接する関係で射出成形され、一体に固着され、第二部材の前記穴部とは反対側端部であるフランジ部には上面側に硬質樹脂製の蓋体７０が固着された防振装置。」の発明（以下、「先願発明」という。）が認められる。
　　
(ii)甲第２号証
　内部に空間を有する筐体５、２０と、該筐体５、２０の内方の一部に設けられるばね部材７、２３と前記筐体に設けられる複数のダンパー１０，２９とで、筐体内に被支持体１を支持する点。（１，２，８図参照）
(iii)甲第３号証
　内部に空間を有する固定フレーム７、この固定フレーム７の一部に設けられるコイルばね１０と、固定フレーム７の内方に向けて設けてある複数のダンパー１１によりメカデッキ１を支持する点。（２，３図参照）
(iv)甲第４号証
　甲第４号証の発明（２図参照）は、甲第３号証の３図と同じ構成であると認められる。
(v)甲第５号証
  再生装置内の筐体１０内でディスク駆動ユニット１１が複数のスプリング１１とダンパ１４により支持されている点。（４，５図参照）
(vi)甲第６号証
　内部に空間を有する固定フレーム１１と、この固定フレーム１１の一部に設けられるスプリング１８、２３と、固定フレームの内方に向けて設けてある複数のダンパー１７によりメカデッキ１２を支持する点。（１，２図参照）
(vii)甲第７号証
　内部に空間を有する筐体５にその内方に向けて複数のダンパー９を設け、該ダンパ９と複数のばね部材６により被支持体１を支持する点。（６図参照）
(Viii)甲第８号証
　甲第８号証の発明（４図参照）は、甲第３号証の３図と同じ構成であると認められる。
(ix)甲第９号証
　甲第９号証の発明（２図参照）は、甲第３号証の３図と同じ構成であると認められる。
(x)甲第１０号証
　  請求人が合成樹脂も扱っている点。
(xi)甲第１１，１２号証
　１９８９年１２月２９日前に、ダンパー材料としてナイロン、ＰＰの使用、ＰＰとＴＰＥを２色成形により接着する点等を検討していた点。
　
　
６．−（２）−ｂ．甲第１号証に記載の発明（先願発明）と本件発明１との対比
　先願発明と本件発明１を対比すると、先願発明の「支持フレーム」、「ＣＤプレーヤー」、「スプリング」、「粘性流体」、「ダンパー」、「軸体を嵌入させるための穴部」は、本件発明１の「筐体」、「記録再生装置」、「弾性支持具」、「減衰材」、「減衰手段」、「突起を受け入れるための凹部」に相当するものと認められ、前記突起を受け入れるための凹部は、共に筒状部の端部を覆う弾性部材に設けられている点で共通し、また、先願発明の「硬質樹脂製の第二部材」と本件発明１の「熱可塑性樹脂のエンジニアリングプラスチックからなる筒状部」は硬質樹脂である点で共通し、さらに、先願発明の「蓋体」と本件発明１の「第二密封部材」は、減衰手段をなす容器の「密封部材」として共通するから、
　両者は「筐体の一部に設けられる弾性支持具と振動を減衰するための減衰手段で記録再生装置を支持する防振装置であって、
　減衰手段は、前記筐体に設けられた複数の硬質樹脂からなる中空の筒状部と、この筒状部内に収容された減衰材と、
　前記筒状部の端部を覆う弾性部材には記録再生装置を支持するための突起を受け入れるための凹部を設けると共に、　
　前記筒状部の他端部に設けられた密封部材とを有する記録再生装置の防振装置。」で一致するが、以下の点で相違する。
　相違点１
　本件発明１が「内部に空間を区画する筐体」を備えているのに対し、先願発明が「上部にメカデッキを支持するための支持フレーム」を備えている点。
　相違点２
　本件発明１が「筐体にその内方を向くように設けられた、熱可塑性樹脂のエンジニアリングプラスチックからなる複数の中空の筒状部」を備えているのに対し、先願発明は中空の筒状部は支持フレームに上下方向に向いており、かつ、筒状部は硬質樹脂で形成されている点。
　相違点３
　記録再生装置に設けた突起を受け入れるための凹部が設けられる弾性部材について、本件発明１が「筒状部の前記筐体内方側の端部のみに射出成形により一体に熱融着された軟質の熱可塑性弾性体からなる第１密封部材」を備えているのに対し、先願発明は第一部材が容器本体をなす硬質樹脂製の第二部材の内周壁全面において、軟質樹脂で射出成形される内周壁部と、これに連結し、前記突起を受け入れるための凹部を弾性的に支持するための可撓部とからなっている点。
　
６．−（２）−ｃ．相違点の検討
上記相違点について検討する。
　イ．相違点１について
　先願発明の、上部にＣＤプレーヤーのメカデッキを支持するための支持フレームを備える構成は、支持フレームの内部にＣＤプレーヤーを収納するための空間を備えていないので、本件発明１の「内部に空間を区画する筐体」とは、明らかに構成が相違する。
　しかしながら、請求人の提示した甲第２乃至９号証によれば「内部に空間を区画する筐体と、この筐体の一部に設けられ、記録再生装置を支持するための弾性支持具と、前記筐体の一部に設けられ、前記記録再生装置を支持し、かつその振動を減衰するための減衰手段とを備えた防振装置」の構成は、この分野におけるダンパーの周知の使用形態にすぎず、先願発明においても、このように構成することは適宜実施しうる程度のことにすぎない。
　
　ロ．相違点２について
　先願発明における粘性流体封入ダンパーは、支持フレームに上下方向に向いており、かつ、上記相違点１のように、先願発明における支持フレームは内部に空間を区画していないので、「筐体内方に向くように設けられた、・・・中空の筒状部」の構成とも異なる。しかしながら、本件発明１に係る上記構成は、上記したように周知の使用形態を採用する際、当然得られる構成にすぎない。
　一方、先願発明の第一部材は「硬質樹脂」製であり、本件発明１の材料である熱可塑性樹脂のエンジニアリングプラスチックとも異なる。そして、熱融着を意図していない前記先願発明の「硬質樹脂製の第一部材」が実質的に「熱可塑性樹脂のエンジニアリングプラスチック」を意味するとは認められない。
　
　ハ．相違点３について
　先願発明は、第一部材に軟質樹脂を用いているが、この軟質樹脂を硬質樹脂との組合せで２色成形するとの事項のみから、該軟質樹脂が実質的に「軟質の熱可塑性弾性体」であると認定することはできない。
　なお、「樹脂製の第一部材と第二部材を２色形成により、同時成形」する際、同時成形といっても、このような２つの筒状のものを全く同時に形成できず、一方を形成しておいてから他方を形成するであろうことは当然行うべきことと認められる。　そして、その際、両部材間は一体成形されるのであるから、何らかの力が働いて両者を固着していることは明かであり、予め形成した硬質樹脂の筒に接するように軟質樹脂を射出成形すれば両者の間には、被請求人の主張する「熱融着」程の強度が得られるかは不明であるが、程度の差があっても同様の現象が生じているものと認められる。
　しかしながら、先願発明は、攪拌軸部５８と、可撓部６０と、容器本体の内周壁部６２が一体に形成され、そのうちの内周壁部６２の外周には外周壁部６４が同時成形により配置された形状となっている。即ち、外周壁部６４の内周面全面で内周壁部と固着されており、外周壁部の端部のみで固着するとの思想は認められない。
　また、先願発明の攪拌軸部５８と可撓部６０及び容器本体の内周壁部６２とからなる第一部材は一体に形成されることにより一つの容器を形成しているので、外周壁部６４の端部のみに本件発明１のように密封部材を固着することにより密封して容器を形成する構成とも相違する。
　しかも、先願発明における第一部材は、その上端の開口周縁部から内側に突出するようにして立ち上がる薄肉の環状突片７２を設けることを必須の構成要件としている（特許請求の範囲及び第３頁左下欄１８〜１９行参照）。すなわち、柔らかい前記環状突片７２をも必ず一体に成形するので、先願明細書には、この突片を省略して前記周壁部６２を短くし、前記外周壁部６４の下側端部のみで固着するとの思想は認められない。
　さらに、先願発明の攪拌軸部５８と可撓部６０及び容器本体の内周壁部６２とからなる第１部材は一体に形成されることにより一つの容器を形成しているので、外周壁部６４の端部を本件発明１のように密封部材を固着することにより密封して容器を形成する構成とも相違する。
　　以上検討したように、相違点１乃至３は全て実質的な相違でないと言えないので、本件発明１と先願発明を同一であると認めることはできない。
　
６．−（２）−ｄ．請求人の主張
　なお、請求人は、本件発明１と先願発明との対比に関し、概ね以下のように主張している。
　イ．先願の甲第１号証が開示する発明
　甲第１号証（先願発明）には、以下の点が記載されている。
（a）第２図には、支持フレーム１０と、この支持フレーム１０の一部に設けられ，ＣＤプレーヤーを支持するためのスプリング１４と、支持フレーム１０の一部に設けられ、ＣＤプレーヤーを支持し、かつ、その振動を減衰するための複数個の第５図に示す粘性流体封入ダンパー１６（５３）とを備えたＣＤプレーヤーの支持構造であること。
（b）第５図に示す粘性流体封入ダンパー１６（５３）は、熱可塑性樹脂からなる中空の筒状部６４を有すること。
（c）第５図に示す粘性流体封入ダンパー５３は、筒状部６４内に収容された粘性流体を有すること。
（d）第５図に示す粘性流体封入ダンパー５３は、筒状部６４のＣＤプレーヤーを設ける側に型成形により一体に熱融着された軟質の熱可塑性弾性体からなり、略中央部に前記ＣＤプレーヤー側に設けた突起を受け入れるための凹部５６が設けられた第１密封部材５４を有すること。
（e）第５図に示す粘性流体封入ダンパー５３は、筒状部６４の他端部に固着された第２密封部材７０を有すること。
　
ロ．先願出願前の周知慣用技術
　先願発明の粘性流体封入ダンパー１６（５３）は、当該防振装置としてＣＤプレーヤー等の記録再生装置での使用を前提として発明されたものである。
　そこで、前記（ａ）の構成に代る他の「ＣＤプレーヤーの支持構造」をみてみると、上記甲２〜９号証等で、「内部に空間を区画する筐体と、この筐体の一部に設けられ、記録再生装置を支持するための弾性支持具と、前記筐体の一部に設けられ、前記記録再生装置を支持し、かつその振動を減衰するための減衰手段とを備えた防振装置」が、先願の出願前の周知の「ＣＤプレーヤーの支持構造」の使用形態（以下、先願出願前の周知の使用形態（ａ’）」という。）であることが判る。
　したがって、先願発明の粘性流体封入ダンパー１６（５３）における（ａ）の構成に関する構成（ａ’）は周知の製品の普通の使用形態として使用されることを前提とするものであり、又、構成（ｂ）に関しても「粘性流体封入ダンパーは、前記減衰手段は筐体にその内方を向くように設けられる」構成（ｂ’）、さらに、構成（ｄ）に関しても「粘性流体封入ダンパーは、筒状部の筐体内方側に設けられること」の構成（ｄ’）も、粘性流体封入ダンパーの周知の製品の普通の使用形態である。
　
　ハ．本件発明１と先願発明との比較
［１］本件発明１の構成要件Ａと先願発明の（ａ）との比較
　甲第１号証で粘性流体封入ダンパー５３の構造及びその実施の形態の開示があることから、甲第１号証で本件発明１の構成要件Ａ（内部に空間を区画する筐体と、この筐体の一部に設けられ、記録再生装置を支持するための弾性支持具と、前記筐体の一部に設けられ、前記記録再生装置を支持し、かつその振動を減衰するための減衰手段とを備えた防振装置）について開示され、本件発明１の構成要件Ａは先願の甲第１号証で開示された発明の構成要件との間に違いがない。
［２］本件発明１の構成要件Ｂａと先願発明の構成（ｂ）との比較
　構成要件ａの「熱可塑性のエンジニアリングプラスチック」は通常使用する材料を特定しただけのものであるから、格別限定が付されていない先願発明の熱可塑性樹脂の外周壁部（筒状部）６４」に相当する。
　したがって、本件発明１の構成要件Ｂａ．は、先願発明の（ｂ）の構成を周知の普通の使用形態（ｂ’）に特定したものであるから、先願発明の（ｂ）に相当し、両者間に違いがない。
［３］本件発明１の構成要件Ｂｂ．と先願発明の構成（ｃ）との比較
　本件発明１の構成要件Ｂｂ．の「前記減衰手段は、前記筒状部内に収容された減衰材を有すること。」は、先願発明の（ｃ）の第５図に示す粘性流体封入ダンパー５３は、筒状部６４内に収容された粘性流体を有すること。」に想到し、両者間に相違がない。
［４］本件発明１の構成要件Ｂｃ．と先願発明の構成（ｄ）との比較
　先願発明は、前記指摘部分に記載のように、２色成形すれば第一部材と第二部材とが融着によって接合されることは明かである。　
［５］本件発明１の構成要件Ｂｄ．と先願発明の構成（ｅ）との比較
　構成要件Ｂｄ．と先願発明の構成「筒状部６４の他端に固着された硬質樹脂製の蓋体７０」との間に違いがない。
  以上のように、本件発明１の必須構成要件と先願発明の構成は夫々対応する。特に先願発明の「粘性流体封入ダンパー」の発明は、甲第２号証乃至甲第７号証に示す周知の普通の使用形態が全体となって発明されているものであり、且つ、本件特許発明の目的として、「減衰手段の組立て工数が少なく、製作が簡単な防振装置を提供することにある。」と記載していることからも、本件発明１の本旨との間に相違点がない。
　したがって、先願発明の粘性流体封入ダンパー５３は、その用途を甲第２号証乃至甲第７号証等に示す周知慣用技術の形態を前提に発明されたものであり、本件発明１は、先願の甲第１号証に記載された発明と実質的に同一であるから、本件発明１は特許法第２９条の２によって拒絶されるべきものである。
　
　しかしながら、上記［２］の点は、６−（２）−ｃ．に記したように相違がないとは言えない。
　すなわち、熱可塑性の硬質樹脂が、実質的に熱可塑性のエンジニアプラスチックと同じであると認定することはできない。
　また、同じく上記［４］の点も６−（２）−ｃ．に記したように相違がないとは言えない。
　すなわち、先願発明は、本件発明１のように筒状部の端部のみに密封するべく熱融着されていない点で相違する。
　したがって、請求人の上記主張は、採用できない。
　
７．当審における無効理由  
７．−（１）当審が通知した無効理由における引用刊行物
　引用刊行物１：実願昭６３−１５１５６６号（実開平２−７２８３４号）のマイクロフィルム （平成２年６月４日公開） 
　引用刊行物１には、以下の記載事項がある。
（１）「本考案は、車載用のコンパクトディスクプレーヤのドライブユニット等の精密機器を支持する際に使用される防振支持装置に関する。」（２頁６行〜同８行）
（２）「第３図はコンパクトディスクプレーヤの主要部を示す図である。図中１はシャーシ等の支持部材である。この支持部材１はコンパクトディスクプレーヤを取り付けるためのフレームである。この支持部材１に、メカシャーシ等の被支持部材２が弾性支持用附勢手段であるコイルスプリング６とダンパー６０によって支持されている。被支持部材２上にはコンパクトディスクＤを支持して回転させるターンテーブル４ａと、このターンテーブル４ａを回転駆動させるモータ機構４と、光学ピックアップ５及び図示していない電子回路ユニットや表示機構ならびに外部接続コネクタ機構などが搭載されている。」（２頁１０行〜３頁３行）
（３）「容器部１２はブチルゴム等のゴム材料にて厚肉に形成された円筒状の胴部１２ａの一端に底１２ｂが設けられて容器状に一体に成形されている。・・・（中略）・・・この蓋部１３はブチルゴムとのゴム材にて容器部１２より柔らかく弾性体に成形される。」（１０頁８行〜１１頁５行）  
（４）「ダンパー２０の容器部２２は筒状の胴部２２ａの一端に開口端２２ｃを有し、その開口端２２ｃの近辺の外周には支持部材の取付孔ｌａに嵌入させる溝２２ｄが設けられている。胴部２２ａの一端には底部２２ｂを有し、容器部２２は一体成形されている。さらに、蓋部２３は胴部２２ａの開ロ端を覆うとともに、容易に弾性変形するように容器部２２より軟質に成形されている。蓋部２３の中央部に支持軸挿入部２３ａを有し、この支持軸挿入部２３ａの周囲に連結して断面がＶ字状に内側に折曲げられた環状の薄肉部２３ｃを有し、さらにこの薄肉部２３ｃの外周に上記容器部２２の開口端２２ｃに対して接着できるように端部２３ｂを有し、蓋部２３は一体成形されている。」（１２頁１６行〜１３頁１０行）
　これらの記載事項及び第２，３図によれば、引用刊行物１には「内部に空間を有する支持部材１と、該支持部材１内にコンパクトディスクプレーヤを配置し、
　支持部材とコンパクトディスクプレーヤ間にコイルスプリング６とダンパー２０を設けるとともに、ダンパーはその容器部を支持部材に取付け、内方に向いた支持軸６６をコンパクトディスク側に取付けてなる防振装置において、
　上記ダンパー２０は、ゴム材料で形成されたダンパーの容器部２２が筒状の胴部２２ａの一端に開口端２２ｃを有し、その開口端２２ｃの近辺の外周には支持部材の取付孔１ａを嵌入させる溝２２ｄが設けられ、前記胴部２２ａの他端には底部２２ｂを有し、容器部２２は一体に成形され、蓋部２３は前記胴部２２ａの前記開口端２２ｃを覆うとともに、容易に変形するように容器部２２の材料より軟質のゴム材料で成形され、蓋部２３の中央部に支持軸挿入部２３ａを有し、この支持軸挿入部２３ａの周囲に連結して環状の薄肉部２３ｃを有し、さらにこの薄肉部２３ｃの外周に上記容器部２２の前記開口端２２ｃに対して接着する端部２３ｂを有し、前記蓋部２３は一体成形され、容器部内に粘性流体を封入して構成されている防振装置。」の発明（以下、「引用刊行物１に記載の発明」という。）が記載されていると認められる。
　
引用刊行物２：特開昭６１−１８９３３６号公報（昭和６１年８月２３日公開）
　引用刊行物２には、「ビデオテープレコーダ及びコンパクトディスクプレーヤ等の磁気記録再生装置を含む電子機器に好適する防振装置」に関し（１頁左欄１３行〜１５行）、第２図等には粘性流体２８を封入したダンパー２９が開示されており、「ダンパー２９として、ゴムを用いた場合で説明したが、これに限ることなく、例えば弾性プラスチック等の弾性材料でなる弾性体を用いて構成してもよい」点が記載されている（３頁右上欄４行〜８行）。
　
引用刊行物３：特開平１−１３９２４０号公報（平成１年５月３１日公開）
　引用刊行物３には、「（産業上の利用分野）
　本発明は、硬質部位と軟質部位を有する複合成形体の新規な製造方法に関する。更に詳しくは、ポリカーボネートなどの硬質で諸特性に優れたエンジニアリングプラスチックで構成された部位と、軟質の熱可塑性弾性体で構成された部位とを有する複合成形体を熱融着手段により効率よく製造する方法に関するものである。」（２頁左上欄１行〜同８行）、「（従来の技術）優れた機械的強度を持つエンジニアリングプラスチックスは、・・・・（中略）、一方熱可塑性弾性体・・・（中略）近年、合成樹脂（プラスチック）性部品や部材の性能の高度化、機能の高度化の要求が厳しく、その中で前記したエンジニアプラスチックと熱可塑性弾性体との複合化を試みる動きがある。そして、その複合化に際し両者に共通した成形手段である射出技術により、両者を相互に熱融着させて複合化することが最も効果的である。」（２頁左上欄９行〜右上欄１６行）、「しかしながら、一般に熱可塑性のエンジニアリングプラスチックと熱可塑性樹脂とは熱融着性が必ずしも良くない。とりわけ、ゴム弾性に優れた熱可塑性弾性体（ＴＰＥ）との熱融着性が悪く両者を強固に接合させることができない。」（２頁右上欄１７行〜左下欄１行参照）、「合成樹脂成形体の存在下に該合成樹脂成形体より硬度の低い成形体を与える熱可塑性弾性体組成物を熱融着により接合させる」点（特許請求の範囲の請求項１参照）及び、「熱融着により接合させる技術手段は、いずれでも採用可能である。例えば、（中略）生産の観点から射出成形法が望ましい。」（４頁右上欄１１〜１６行参照）と記載されている。
　これらの記載によれば、引用刊行物３には「熱可塑性のエンジニアリングプラスチックスからなる部材に、軟質の熱可塑性弾性体を射出成形により一体に熱融着させる」発明が記載されているものと認められる。
　
引用刊行物４：特開平２−１０７４１５号公報（平成２年４月１９日公開）
　引用刊行物４には、「一方・・・（中略）エンジニアリングプラスチックと熱可塑性弾性体との複合化を試みる動きがある。そして、その複合化に際し、両者に共通した成形手段である射出成形技術により両者を相互に熱融着させて複合化することが量産性という点から最も効果的である。」（２頁左下欄４行〜右下欄１０行）、「一般に熱可塑性のエンジニアリングプラスチックと熱可塑性のエンジニアリングプラスチックと熱可塑性樹脂とは熱融着性が必ずしも良くない。とりわけ、ゴム弾性に優れた熱可塑性弾性体との熱融着生が悪く、両者を強固に接合することができない。」（２頁左下欄１１行〜同１５行）及び、「自動車用ランプのランプボディをエンジニアリングプラスチックで成形する成形工程と、前記ランプボディを射出成形金型に入れる挿入工程と、前記ランプボディと前記射出成形金型との間に形成される空間部に熱可塑性エラストマーを注入する注入工程と、前記ランプボディと前記熱可塑性エラストマーを熱融着させる熱融着工程」（特許請求の範囲の請求項１）と記載されている。
　これらの記載を総合すると、引用刊行物４には引用刊行物３と同様の発明が記載されているものと認められる。
引用刊行物５： 特開平１−１３９２４１号公報（平成１年５月３１日公開）
　引用刊行物５には、「（産業状の利用分野）　本発明は、機械的強度に優れたエンジニアリングプラスチックなどの合成樹脂で構成される成形体部位と、弾性に富んだ熱可塑性弾性体で構成される成形体部位とを有する複合成形体の製造に有用な、熱融着特性に優れた熱可塑性弾性体組成物に関する。」（１頁右欄１３行〜１８行）、
「エンジニアリングプラスチックと熱可塑性弾性体との複合化を試みる動きがある。そして、その複合化に際し、両者を共通した形成手段である射出成形技術により両者を相互に熱融着させて複合化することが最も効果的である。」（２頁右上欄２行〜６行）、「しかしながら、一般に熱可塑性のエンジニアリングプラスチックと熱可塑性樹脂とは、熱融着性が必ずしも良くない。とりわけ、ゴム弾性に優れた熱可塑性弾性体（ＴＰＥ）との熱融着性が悪く、両者を強固に接合させることができない。」（２頁右上欄７行〜１１行）と記載されている。
　これらの記載を総合すると、引用刊行物５には、引用刊行物３と同様の発明が記載されているものと認められる。
　
７．−（２）対比　
　本件発明１と上記引用刊行物１に記載の発明を対比すると、引用刊行物１に記載の発明の「支持部材１」、「コイルスプリング」、「ダンパー」、「容器部２２の筒状の胴部２２ａ」、「粘性流体」及び「支持軸挿入部２３ａ」は、本件発明１の「筐体」、「弾性支持具」、「減衰手段」、「中空の筒状部」、「減衰材」及び「記録再生装置に設けた突起を受け入れるための凹部」にそれぞれ相当し、さらに引用刊行物１に記載の発明の「蓋部２３は胴部２２ａの開口端２２ｃを覆うとともに、容易に変形するように容器部２２の材料より軟質のゴム材料で成形され、蓋部２３の中央部に支持軸挿入部２３ａを有し、この支持軸挿入部２３ａの周囲に連結して断面がＶ字状に内側に折り曲げられた環状の薄肉部２３ｃを有し、さらにこの薄肉部２３ｃの外周に上記容器部２２の開口端２２ｃに対して接着する端部２３ｂを有し」における蓋部は容器２２を密封する部材であることは明らかであり、またその部材である「軟質のゴム材料」が軟質の弾性体であることも自明のことであるので、
　両者は「内部に空間を区画する筐体と、この筐体の一部に設けられ、記録再生装置を支持するための弾性支持具と、前記筐体の一部に設けられ、前記記録再生装置を支持し、かつその振動を減衰するための減衰手段とを備えた防振装置であって、前記減衰手段は、前記筐体にその内方を向くように設けられた、複数の中空の筒状部と、
この筒状部内に収容された減衰材と、
前記筒状部の前記筐体内方側の端部のみに固着され軟質の弾性体からなり、略中央部に前記記録再生装置に設けた突起を受け入れるための凹部が設けられた密封部材と、
を有する記録再生装置の防振装置。」で一致し、以下の点で相違する。
　相違点１
　本件発明１が、筐体の内方に向くように設けられた複数の中空の筒状部を「熱可塑性のエンジニアリングプラスチック」で構成するとともに、該筐体内方側端部に「軟質の熱可塑性弾性体からなる第１密封部材」を設けているのに対し、引用刊行物１に記載の発明では容器部２２は「ゴム材料」で形成するとともに、該容器部の内方側端部である開口部２２ｃに設けるものは，「容易に変形するように容器部２２の材料より軟質のゴム材料で成形された蓋部２３」である点。
　相違点２
　本件発明１の筐体内方側端部に設けられる第１密封部材が、「射出成形により一体に熱融着」されるのに対し、引用刊行物１に記載の発明では、筒状の容器部の内方側端部である開口端２２ｃに蓋部２３を接着して設けている点。
　相違点３　
　本件発明１が、第１密封部材が設けられている筒状部の他端部に第２密封部材を備えているのに対し、引用刊行物１に記載の発明では容器部の蓋が設けられている側の反対側には、底部２２ｂが胴部２２ａと一体に設けられている点。
　
７．−（３）相違点の検討
イ．相違点１，２について
　引用刊行物１に記載の発明は、ダンパーを構成する筒状の容器部に対して、その端部に接着される蓋部は、前記容器部のゴム材料に比して軟質のゴム材料を用い、且つ両者を接着することにより接合している。
　一方、ダンパーの構成材料としてゴム材料に換えてプラスチックを用いることが可能なことは引用刊行物２に記載されている。
　そして、「熱可塑性のエンジニアリングプラスチックスからなる部材に、軟質の熱可塑性弾性体を型成形により一体に熱融着させる」ことは上記引用刊行物３乃至５に記載のように周知のことである。
　
　以上の点を考慮すれば、引用刊行物１に記載の発明の硬い筒状の容器部とその端部を塞ぐ柔らかい蓋部の組合せについて、ダンパー構成部材に少なくともプラスチックを用いる引用刊行物２に記載の発明思想の基に、硬いプラスチック構成材料として熱可塑性樹脂のエンジニアリングプラスチックを、軟質のプラスチック構成材料として熱可塑性弾性プラスチックの周知（引用刊行物３乃至５記載参照）の組合せを用いると共に、両者の接合手段として同じく周知の前記熱可塑性樹脂のエンジニアリングプラスチックに射出成形により軟質の熱可塑性弾性体を一体に熱融着する接合構成を用いることが、考え得る。しかしながら、下記[ロ．相違点３について］で検討することにより、困難性があることが明かとなった。
ロ．相違点３について
　引用刊行物１に記載の発明は、従来のダンパーが「袋体６１内に流体６５を注入する必要があり、この袋体６１内に支持軸６６部が突出しているので、流体６５を注入する際、支持軸６６部が邪魔になり、」（５頁１７行〜２０行）との欠点および「このダンパー７０は、容器部７１の底部７１ａを薄肉に形成し、周囲部７１ｂを厚肉に形成したものであり。且つ、これ等は同一材で一体に形成されている。・・・したがって、周囲部７１ｂを厚肉に形成しても、十分な振動減衰効果が得られないという問題を有していた。」（６頁１０行〜１８行）との欠点を克服するためになされたものであり、支持軸７６を支持するダンパーの容器として適するように硬質材料からなる容器部２２と、ダンパーの支持軸挿入部として適するように軟質の材料を用いると共に、粘性流体の注入作業が容易となるように、従来のダンパー（第５図参照）では容器の底部にあった一体成形の支持軸挿入部を蓋部に移動させたものであると認められる。そのために、唯一の密封部である容器部２２の開口端２２ｃと蓋部２３の端部２３ｂ（蓋部の外周部）を後から密封するために、該部分を接着する構成にしたものと認められる。
  したがって、あえて支持軸挿入部（従来例の支持軸支持部）を底部から蓋部に移動させたものを、再び底部に移動させる点、および底部と筒状部を別材料で形成されるにもかかわらず一体に形成する点は、引用刊行物１の発明においては相容れない技術事項と認められる。
　そして、この２つの技術事項は、前記相違点１，２の検討において記した引用刊行物１に記載の発明に、引用刊行物２に記載のプラスチックをダンパー材料として適用するとの思想および引用刊行物３乃至５に記載の硬軟のプラスチックの組合せ及びこれらの固着構成を適用することを困難にしていることは明かである。
７．−（４）請求人の主張
　なお、この無効理由に関して行われた口頭審理における請求人の陳述内容を検討しても、上記相違点の検討における判断を覆す理由を見出せない。
　特に、請求人は、「熱融着は、熱可塑性合成樹脂相互間の接合を行う基本的接合技術であるから、接着剤で接合するか、熱融着で接合するかは今更証拠を提示する必要のない設計事項である」と主張している（平成１３年７月１１日付上申書第４〜５頁）が、上記したように引用刊行物１に記載の発明において、接着材で蓋をしていた部分を設計事項であるとして、熱融着に換えて本件発明１を得ることができないことは明かであるから、その主張は採用できない。
７．−（５）むすび　
  したがって、本件発明１は、当審において通知した引用刊行物１乃至５に記載された発明から容易に発明をすることができたものとすることができない。
　
８．むすび
　以上のとおりであるから、当審における特許無効理由通知に記載の理由並びに、請求人の主張する理由及び証拠方法によっては、本件特許請求の範囲の請求項１に係る発明（本件発明１）の特許を無効とすることはできない。
　又、他に本件発明１に係る特許を無効とする理由を発見しない。
　審判に関する費用については、特許法第１６９条第２項の規定で準用する民事訴訟法第６１条の規定により、請求人が負担すべきものとする。
　よって、結論のとおり審決する。